(57)【要約】【課題】人の手が照明器具の測定パネルの一定距離にあるとき、自動的にライトオンやオフにさせる作用のある照明器具コントロール構造を提供する。【解決手段】  照明器具コントロール構造であって、かさ、かさの後ろ蓋、灯管、安定器、スイッチセンサーコントロール器及び赤外線発射接受モジュールとからなり、  前記かさの後ろ蓋には測定手段を内包する測定パネルが設けられ、該測定パネルにはウィンドウが設けられ、該ウィンドウの内側には透明パネルが固定されるとともに、赤外線発射接受モジュールが固定され、該赤外線発射接受モジュールにより人の手が一定の距離内に近づけば自動的に感知してライトを点灯し、或いは、消灯する照明器具コントロール構造。【選択図】  図３
0003112415.tif 000002
【実用新案登録請求の範囲】
【請求項１】
照明器具コントロール構造であって、かさ、かさの後ろ蓋、灯管、安定器、スイッチセンサーコントロール器及び赤外線発射接受モジュールとからなり、
前記かさの後ろ蓋には測定手段を内包する測定パネルが設けられ、該測定パネルにはウィンドウが設けられ、該ウィンドウの内側には透明パネルが固定されるとともに、赤外線発射接受モジュールが固定され、該赤外線発射接受モジュールにより人の手が一定の距離内に近づけば自動的に感知してライトを点灯し、或いは、消灯することを特徴とする照明器具コントロール構造。
【請求項２】
請求項１の前記測定手段を各種の照明器具、スタンド、ブラケットに使用したことを特徴とする照明器具コントロール構造。
【考案の詳細な説明】
【技術分野】
【０００１】
本考案は一種の照明器具コントロール構造の改良に関するものであり、特に照明器具のスイッチコントロール上の構造の改良設計により、人の手が照明器具の測定手段を内包した測定パネルとの距離が一定内にあるとき、自動的にライトオンやオフにさせる照明器具コントロール構造に関する。
【背景技術】
【０００２】
一般的な照明器具の種類やスタイルは非常に多く、電気スタンド、ブラケット、シャンデリア…等(例えば、特許文献１)いろんな種類があり、そのスイッチのコントロール法は、ほとんど、電源スイッチを、プッシュ、或いはタッチすることによりオン・オフするもので、其のコントロール方法は不便だけでなく、人の手を介して直接電源スイッチをタッチ、プッシュする為、黴菌や埃に汚染されやすくなる。特に、病院や人の多い公衆場所、或いは、例えば、デパートのような所では、もっとも黴菌に感染されやすく、このような感染源に満ちた環境の下で、伝統的に慣用された様々な照明器具が使っているスイッチコントロール方式は、改善の必要があった。
【特許文献１】特開２００２−５６７０５号公報
【考案の開示】
【考案が解決しようとする課題】
【０００３】
上述したように、従来の照明器具の使用上の不都合により、本考案人は研究革新及び絶えず改善しようとする精神に基づき、積極的に努力し、研究を重ね、長年の開発改良により、本考案に想到した。
本考案の主な目的は、一種の照明器具コントロール構造の改良であって、手で直接プッシュ、タッチしなくても、人の手が一定の距離内にあれば自動的に感知し、ライトがついたり、消えたりする作動をし、さらに、直接、照明器具にタッチをすることによって、もたらされるかもしれない黴菌の伝染を避け、疾病の低下にも有益であり、使用上充分に作用・効果を奏する照明器具コントロール構造を提供することにある。
【課題を解決するための手段】
【０００４】
上記課題を解決するために、請求項１の考案は、一種の照明器具コントロール構造で、かさ、かさの後ろ蓋、灯管、安定器、スイッチセンサーコントロール器及び赤外線発射接受モジュールとからなり、前記かさの後ろ蓋には測定手段を内包する測定パネルが設けられ、該測定パネルにはウィンドウが設けられ、該ウィンドウの内側には透明パネルが固定されるとともに、赤外線発射接受モジュールが固定され、該赤外線発射接受モジュールにより人の手が一定の距離内に近づけば自動的に感知してライトを点灯し、或いは、消灯することを特徴とする照明器具コントロール構造である。
請求項２の考案は、請求項１の前記測定手段を各種の照明器具、スタンド、ブラケットに使用したことを特徴とする照明器具コントロール構造である。
【考案の効果】
【０００５】
本考案の照明器具コントロール構造によれば、手で、直接、照明器具の電源スイッチを押したり接触しなくても、人の手が一定の距離内にあれば自動的に感知しライトが点灯し、或いは、消えたりする作動をする。結果として、直接、照明器具の電源スイッチにタッチをすることによって、もたらされるかもしれない黴菌の伝染を避け、疾病の低下にも有益である。
【考案を実施するための最良の形態】
【０００６】
本考案の好適な実施例を図面を参照して説明する。
図１は本考案の実施例の全体の組立て完成した照明器具の斜視図、図２はその主要部を分解し照明器具コントロール部分を説明する分解斜視図、図３はその測定手段を内包したパネル測定部分の分解斜視図、図４は本考案の実施例のパネル測定部分の断面図、図５は本考案の実施例の電気回路図である。
【０００７】
図に示すように、本考案の実施例の構成の主要部分は、かさ（２０）、かさの後ろ蓋（２１）、灯管（２２）、安定器（２３）、スイッチセンサーコントロール器（２４）及び赤外線発射接受(接収)モジュール（２５）等の構造部品である。
本実施例の主要点は、かさの後ろ蓋（２１）に測定手段を内包する測定パネル（３０）が設けられ、その測定パネル（３０）にウィンドウ（３１）が設けられている。また、その内側には透明パネル（３２）があり、それぞれ傍にある四つの面には固定柱（３３）があり、赤外線発射接受モジュール（２５）が固定できるようになっており、背板（３４）をも固定する。
【０００８】
上記のような方法で、図５に示すように、照明器具の内部の構造は、測定手段としてのスイッチセンサーコントロール器（２４）、安定器（２３）、灯管（２２）等の部品と連結し、スイッチセンサーコントロール器（２４）によって、赤外線の自動感知作動を発生させ、使用上、人の手が測定手段を内包する測定パネル（３０）から一定距離内にあれば、即自動的にライトがオンやオフになる作動を発生させることができ、従来のように、人の手で直接電源スイッチをプッシュやタッチする必要がなくなり、手を電源スイッチ等の器材に触れることがないから、伝染源を有効的に避け、疾病の発生を減少させ、同時に照明器具の利便性を向上させ、全体から見ても使用上充分に作用効果を奏する照明器具コントロール構造の改良となる。
このスイッチセンサーコントロール器（２４）は、例えば、点灯したい場合には測定パネル（３０）の一定の距離内に手を近づければ自動的に灯管（２２）が点灯し、この際、一定の距離外に手を離しても点灯状態が維持され、逆に、消灯したい場合にも、測定パネル（３０）の一定距離内に手を近づければ自動的に灯管（２２）が消灯するように構成しておけば良い。
なお、信号指示灯（２６）は、スイッチセンサーコントロール器（２４）の作動状態を指示し、電源指示灯（３５）は灯管（２２）に電源がオンであるかオフであるかを指示する。
【０００９】
本考案は、様々な照明器具に使え、例えば、ブラケット、図６に示したような、スタンド、電気スタンド…等にこの装備を適応させることができる。消費者にとっても、使用様態の選択肢が増し、照明器具のスイッチコントロール上でも効能を増大した照明器具コントロール構造の改良品となる。
上述したように、本考案はすばらしい構造設計と組み合わせによるものであり、照明器具において従来の伝統慣用の直接手でタッチする方法を覆し、商品が更に優れ、新しさに満ちたものである。
【図面の簡単な説明】
【００１０】
【図１】本考案の実施例の組立て完成した照明器具の斜視図である。
【図２】本考案の実施例の主要部を分解し照明器具コントロール部を説明する分解斜視図である。
【図３】本考案の実施例の測定手段を内包したパネル測定部分の分解斜視図である。
【図４】本考案の実施例のパネル測定部分の断面図である。
【図５】本考案の実施例の電路回路の説明図である。
【図６】本考案を実施例を電気スタンドに適用した使用図である。
【符号の説明】
【００１１】
２０    電気スタンドのかさ
２１    かさの後ろ蓋
２２    灯管
２３    安定器
２４    スイッチセンサーコントロール器
２５    赤外線発射接受(接収)モジュール
２６    信号指示灯
３０    測定パネル
３１    ウィンドウ
３２    透明パネル
３３    固定柱
３４    背板
３５    電源指示灯
【図１】
0003112415.tif 000003
【図２】
0003112415.tif 000004
【図３】
0003112415.tif 000005
【図４】
0003112415.tif 000006
【図５】
0003112415.tif 000007
【図６】
0003112415.tif 000008